(57)【要約】【課題】ユーザの再生環境に合わせた音声出力を迅速に選択し、また、ユーザが指定した音声出力に合った音声ストリームを迅速に選択して再生することができる光ディスク再生装置を得る。【解決手段】ユーザが音声コードまたはチャンネル数の設定をしているかどうかを確認し、ユーザが音声コードやチャンネル数を設定しているときには、ユーザ設定を優先するシステムコントローラ７と、このシステムコントローラ７の出力に基づき音声の切換えを行なう音声選択部１３を含むデコーダ１２とを備え、システムコントローラ７は、更に、ユーザが音声コードまたはチャンネル数の設定をしているかどうかを確認し、ユーザが音声コードやチャンネル数の設定をしていない場合には、音声出力後であってもユーザが音声コードとチャンネル数を指定する。【選択図】図１
2007157307.tif 000002
【特許請求の範囲】
【請求項１】
音声情報が記録された光ディスクと、上記光ディスクから音声情報を読取り再生する読取り再生手段と、上記読取り再生手段を制御して外部に再生した音声情報を出力するシステム制御手段とを備えた光ディスク再生装置において、
上記システム制御手段は、上記読取り再生手段の出力に基づき、ユーザが音声コードまたはチャンネル数の設定をしているかどうかを確認し、ユーザが音声コードやチャンネル数を設定しているときには、ユーザ設定を優先するシステムコントローラと、上記システムコントローラの出力に基づき音声の切換えを行なう音声選択部を含むデコーダとを有することを特徴とする光ディスク再生装置。
【請求項２】
上記システムコントローラは、上記読取り再生手段の出力に基づき、ユーザが音声コードまたはチャンネル数の設定をしているかどうかを確認し、ユーザが音声コードやチャンネル数の設定をしていない場合には、音声出力後であってもユーザが音声コードとチャンネル数を操作手段により指定できることを特徴とする請求項１記載の光ディスク再生装置。
【発明の詳細な説明】
【技術分野】
【０００１】
この発明は、光ディスク再生装置に関し、特に、ユーザの再生環境に合わせた音声出力を選択し再生する光ディスク再生装置に関するものである。
【背景技術】
【０００２】
従来の光ディスク再生装置におけるＤＶＤ−Ｖｉｄｅｏの音声選択は、音声言語および記録順序優先で選択されていたので、ユーザの再生環境およびユーザの好みに応じて、音声を選択するには、複数の操作を行わなければならない。それらの代表的な操作の一例として、ＤＶＤ−Ｖｉｄｅｏの規格に従って、ユーザが予め設定しておいた音声言語とディスクに存在する音声言語を比較して、合致する音声が複数ある場合は、音声が記録されている順番により選択し、その場合、順番は自動選択であるが、英語や日本語等の指定言語を優先的に選択するものである。（特許文献１参照）。
【０００３】
【特許文献１】特開平６−２４３５７２号公報
【発明の開示】
【発明が解決しようとする課題】
【０００４】
ところで、上記従来技術では、ＤＶＤ−Ｖｉｄｅｏを再生している最中にユーザが音声選択キーを使って、音声が記録されている順番に音声を順次切換えていくものであり、また、メニュー画面の音声選択を使用して、音声を変更するものがあるので、つまり、ビデオコンテンツ情報を利用して予め設定された音場設定とするものに過ぎず、音声の選択方法とは異なるものであるので、ユーザの再生環境に合わせた音声出力を迅速に選択し再生することができないという問題点があった。
【０００５】
この発明は、前記のような課題を解決するためになされたもので、ユーザの再生環境に合わせた音声出力を迅速に選択し、また、ユーザが指定した音声出力に合った音声ストリームを迅速に選択して再生することができる光ディスク再生装置を得ることを目的とする。
【課題を解決するための手段】
【０００６】
この発明に係る光ディスク再生装置は、音声情報が記録された光ディスクと、この光ディスクから音声情報を読取り再生する読取り再生手段と、この読取り再生手段を制御して外部に再生した音声情報を出力するシステム制御手段とを備えた光ディスク再生装置において、システム制御手段は、読取り再生手段の出力に基づき、ユーザが音声コードまたはチャンネル数の設定をしているかどうかを確認し、ユーザが音声コードやチャンネル数を設定しているときには、ユーザ設定を優先するシステムコントローラと、このシステムコントローラの出力に基づき音声の切換えを行なう音声選択部を含むデコーダとを有するものである。
【０００７】
また、この発明に係る光ディスク再生装置は、システムコントローラが、上記読取り再生手段の出力に基づき、ユーザが音声コードまたはチャンネル数の設定をしているかどうかを確認し、ユーザが音声コードやチャンネル数の設定をしていない場合には、音声出力後であってもユーザが音声コードとチャンネル数を操作手段により指定できるものである。
【発明の効果】
【０００８】
この発明は、ユーザが音声コードやチャンネル数の設定をしているかどうかを確認し、ユーザが音声コードやチャンネル数を設定しているときには、ユーザ設定を優先し、また、ユーザが音声コードやチャンネル数の設定をしていない場合であっても、音声出力後であってもユーザが音声コードとチャンネル数を指定することにより簡単に且つ迅速に音声切換えが可能になるという効果がある。
【発明を実施するための最良の形態】
【０００９】
以下、この発明の実施の一形態を、図１〜図４を参照して説明する。
実施の形態１．
図１は、この発明の実施の形態１による光ディスク再生装置を示す構成図である。
図１において、この発明の実施の形態１による光ディスク再生装置は、光ディスク１と、この光ディスク１を装着して回転するモータ２と、回転する光ディスク１のディスク判別を行なうＤＶＤ用光ピックアップ３およびＣＤ用光ピックアップ４と、ＤＶＤ用光ピックアップ３およびＣＤ用光ピックアップ４の出力を増幅するプリアンプ５と、プリアンプ５および後述のシステムコントローラ７の出力に基づいてＤＶＤ用光ピックアップ３およびＣＤ用光ピックアップ４を制御するサーボ制御回路６と、システムコントローラ７で制御される光ピックアップ３および４用のレーザ駆動回路８と、システムコントローラ７で制御されるモータ２用のモータ駆動回路９と、モータ２の回転を検出してシステムコントローラ７に入力する回転検出回路１０と、プリアンプ５の出力を復調してシステムコントローラ７に入力する復調回路１１と、この復調回路１１の復調出力とシステムコントローラ７からの音声出力が供給されるデコーダ１２とを備え、このデコーダ１２は、復調回路１１の復調出力とシステムコントローラ７の音声出力に基づいて音声出力を選択する音声選択部１３を有する。
【００１０】
図２は、図１のシステムコントローラ７の具体的回路構成の一例を示すブロック図である。
図２において、図１の復調回路１１および回転検出回路１０からの出力が供給される再生手段２１と、この再生手段２１からの情報種別内容を判断する情報種別内容判断手段２２と、再生手段２１の出力から再生動作状態を検知する再生動作状態検知手段２３と、ユーザが音声コードやチャンネル数を指定する際に用いられる操作手段２４と、再生動作状態検知手段２３および操作手段２４の出力側に設けられ、再生動作を選択したかどうかを判断する操作有無判断手段２５と、ユーザが設定した情報の有無を判断するユーザ設定情報有無判断手段２６と、ユーザが情報を設定するための設定手段２７と、この設定手段２７からの設定情報を記憶する設定情報記憶手段２８とを備え、ユーザ設定情報有無判断手段２６は、操作有無判断手段２５と設定情報記憶手段２８の出力に基づいてユーザが設定した情報の有無を判断し、ユーザが設定した情報があれば、設定情報記憶手段２８よりその設定情報を読み出し、デコーダ１２の音声選択部１３を切換えてその音声を出力する。
【００１１】
次に、システムコントローラ７およびデコーダ１２の部分の動作について、図３および図４のフローチャートを参照して説明する。
まず、ユーザが音声コードやチャンネル数の設定をしているかどうかを確認し、ユーザが音声コードやチャンネル数を設定していれば、そのユーザ設定を優先させる場合を、図３を参照して説明する。
ステップＳＴ１において、光ディスク１の記録情報を光ピックアップ３や４で読み取るディスク再生後の動作に入り、ステップＳＴ２において、ユーザが設定手段２７を用いて音声コードやチャンネル数の設定をしているかどうかをユーザ設定情報有無判断手段２６で確認し、ユーザの設定があれば、ステップＳＴ３において、ユーザの音声コードとチャンネル数の設定を優先し、斯かる設定情報を、ユーザ設定情報有無判断手段２６を介して設定情報記憶手段２８から読み出し、ステップＳＴ４において、デコーダ１２の音声選択部１３を制御してユーザの音声コードとチャンネル数に音声出力を切換え、ステップＳＴ５において、その音声を出力する。
【００１２】
一方、ステップＳＴ２で、ユーザの音声コードやチャンネル数の設定がなければ、ステップＳＴ６において、ＤＶＤ−Ｖｉｄｅｏの規格に従って、ユーザが設定しておいた音声言語または記録順序を優先した後、ステップＳＴ４に進んで、デコーダ１２の音声選択部１３を制御してユーザの音声コードとチャンネル数に音声出力を切換え、ステップＳＴ５で、その音声を出力する。かくして、ユーザの再生環境に合わせた音声出力の選択ができる。
【００１３】
次に、ユーザが音声コードやチャンネル数の設定をしていない場合で、例えば、ディスク再生中に、ユーザが音声コードとチャンネル数を指定する場合を、図４を参照して説明する。
ステップＳＴ１１において、ディスク再生中の動作に入り、ステップＳＴ１２において、操作有無判断手段２５により、ユーザが音声コードやチャンネル数の指定を行い、操作手段２４が再生動作を選択したことが判断されると、斯かる指定情報を、ユーザ設定情報有無判断手段２６を介して設定情報記憶手段２８から読み出し、ステップＳＴ１３において、デコーダ１２の音声選択部１３を制御してユーザの音声コードとチャンネル数に音声を切換え、ステップＳＴ１４において、その音声を出力する。かくして、ユーザが指定した音声出力に合った音声ストリーム（実質的に、ディジタル信号の道路のようなもの）を選択し再生することができる。
【００１４】
なお、上記において、ＤＶＤ用光ピックアップ３、ＣＤ用光ピックアップ４、プリアンプ５および復調回路１１の部分は、光ディスク１から音声情報を読取り再生する読取り再生手段を構成し、システムコントローラ７およびデコーダ１２の部分は、読取り再生手段を制御して外部に再生した音声情報を出力するシステム制御手段を構成する。
【００１５】
このようにして、本実施の形態では、ユーザが音声コードやチャンネル数の設定をしているかどうかを確認し、ユーザが音声コードやチャンネル数を設定しているときには、ユーザ設定を優先し、また、ユーザが音声コードやチャンネル数の設定をしていない場合であっても、音声出力後であってもユーザが音声コードとチャンネル数を指定することにより簡単に且つ迅速に音声切換えが可能になる。
【図面の簡単な説明】
【００１６】
【図１】この発明の実施の形態１による光ディスク再生装置を示す構成図である。
【図２】この発明の実施の形態１による光ディスク再生装置の要部の具体的回路構成の一例を示すブロック図である。
【図３】この発明の実施の形態１による光ディスク再生装置の動作説明をするためのフローチャートである。
【図４】この発明の実施の形態１による光ディスク再生装置の動作を説明するためのフローチャートである。
【符号の説明】
【００１７】
１  光ディスク、３  ＤＶＤ用光ピックアップ、４  ＣＤ用光ピックアップ、７  システムコントローラ、１１  復調回路、１２  デコーダ、１３  音声選択部、２１  再生手段、２２  情報種別内容判断手段、２３  再生動作状態検知手段、２４  操作手段、２５  操作有無判断手段、２６  ユーザ設定情報有無判断手段、２７  設定手段、２８  設定情報記憶手段。
【図１】
2007157307.tif 000003
【図２】
2007157307.tif 000004
【図３】
2007157307.tif 000005
【図４】
2007157307.tif 000006